(57)【要約】【課題】ＬＴＥ方式の移動通信システムにおいて、ＢＢカード＃Ａにおける故障が発生した場合であっても、ＢＢカード＃Ａによって通信処理が行われているセクタ内に位置する移動局ＵＥに対して移動通信サービスの提供を継続する。【解決手段】本発明に係る無線基地局ｅＮＢの制御部１１は、ＢＢカード＃Ａにおける故障の発生を検出した場合に、ＢＢカード＃Ｃが、セクタＡ０乃至ＡＢ及びセクタＣ０乃至ＣＤにおける通信処理を行うことができるように、ＢＢカード＃Ｃによって行われる通信処理に対して１つ又は複数の制限を加えるように構成されている。【選択図】図４
2011066528.tif 000002
【特許請求の範囲】
【請求項１】
複数の移動局との間で、所定周波数帯域の１キャリア内の共有チャネルを用いて通信を行うように構成されている無線基地局であって、
第１エリアにおける通信処理を行うように構成されている第１通信カードと、
第２エリアにおける通信処理を行うように構成されている第２通信カードと、
前記第１通信カード及び前記第２通信カードを制御するように構成されている制御部とを具備しており、
前記制御部は、前記第１通信カードにおける故障の発生を検出した場合に、前記第２通信カードが、前記第１エリア及び前記第２エリアにおける通信処理を行うことができるように、該第２通信カードによって行われる通信処理に対して１つ又は複数の制限を加えるように構成されていることを特徴とする無線基地局。
【請求項２】
前記制御部は、前記第１通信カードにおける故障の発生を検出した場合に、前記第２通信カードが、前記第１エリア及び前記第２エリアにおける通信処理を行うことができるようになるまで、該第２通信カードによって行われる通信処理に対して加える前記制限を増やしていくように構成されていることを特徴とする請求項１に記載の無線基地局。
【請求項３】
前記制限は、１サブフレーム内で割り当て可能なリソースブロックの数に対する制限、１サブフレーム内で多重可能な移動局の数に対する制限、移動局を多重可能なサブフレームに対する制限、１サブフレーム又は１リソースブロック内で割り当て可能なＰＵＣＣＨ用リソースの数に対する制限、１無線フレーム内のＰＲＡＣＨスロット数に対する制限、又は、使用するＲＡルートシーケンスの数に対する制限のいずれかであることを特徴とする請求項１又は２に記載の無線基地局。
【発明の詳細な説明】
【技術分野】
【０００１】
本発明は、無線基地局に関する。
【背景技術】
【０００２】
Ｗ-ＣＤＭＡ（Ｗｉｄｅｂａｎｄ-ＣＤＭＡ）方式の移動通信システムでは、無線基地局ＮｏｄｅＢは、複数の移動局ＵＥとの間で、複数キャリア（例えば、５ＭＨｚ帯域の４キャリア）内の個別チャネルを用いて通信を行うように構成されている。
【０００３】
一方、ＬＴＥ（Ｌｏｎｇ  Ｔｅｒｍ  Ｅｖｏｌｕｔｉｏｎ）方式の移動通信システムでは、無線基地局ｅＮＢは、複数の移動局ＵＥとの間で、１キャリア（例えば、２０ＭＨｚ帯域の１キャリア）内の共有チャネルを用いて通信を行うように構成されていてもよい。
【０００４】
また、無線基地局ＮｏｄｅＢ及び無線基地局ｅＮＢは、複数のセクタ（或いは、セル）に対して、移動通信サービスを提供することができるように構成されている。
【０００５】
ここで、無線基地局ＮｏｄｅＢ及び無線基地局ｅＮＢは、１つ又は複数のＢＢ（Ｂａｓｅｂａｎｄ）カードを具備しており、各ＢＢカードによって、１つ又は複数のセクタにおける通信処理を行うことができるように構成されている。
【先行技術文献】
【非特許文献】
【０００６】
【非特許文献１】３ＧＰＰ  ＴＳ３６.２１１  Ｖ８.７.０、「Ｐｈｙｓｉｃａｌ  Ｃａｈｅｎｎｅｌ  ａｎｄ  Ｍｏｄｕｌａｔｉｏｎ」、２００９年６月
【非特許文献２】３ＧＰＰ  ＴＳ３６.２１３  Ｖ８.７.０、「Ｐｈｙｓｉｃａｌ  Ｌａｙｅｒ  Ｐｒｏｃｅｄｕｒｅ」、２００８年６月
【発明の概要】
【発明が解決しようとする課題】
【０００７】
しかしながら、ＢＢカード＃１において故障が発生した場合には、ＢＢカード＃１によって通信処理が行われていたセクタ＃１において移動通信サービスを提供することができなくなるといった問題が生じる。
【０００８】
ここで、Ｗ-ＣＤＭＡ方式の移動通信システムでは、複数キャリアによって移動通信サービスが提供されているため、セクタ＃１内に位置する移動局ＵＥを、ＢＢカード＃１以外のＢＢカードによって通信処理が行われている別のキャリアのセクタ＃２にハンドオーバさせることによって移動通信サービスの提供を継続することができるが、ＬＴＥ方式の移動通信システムでは、１キャリアによって移動通信サービスが提供されているため、Ｗ-ＣＤＭＡ方式の移動通信システムのように、セクタ＃１内に位置する移動局ＵＥに対して移動通信サービスの提供を継続することができないという問題点があった。
【０００９】
そこで、本発明は、上述の課題に鑑みてなされたものであり、ＬＴＥ方式の移動通信システムのように１キャリアによって移動通信サービスが提供されている移動通信システムにおいて、ＢＢカードにおける故障が発生した場合であっても、かかるＢＢカードによって通信処理が行われているセクタ内に位置する移動局に対して移動通信サービスの提供を継続することができる無線基地局を提供することを目的とする。
【課題を解決するための手段】
【００１０】
本発明の第１の特徴は、複数の移動局との間で、所定周波数帯域の１キャリア内の共有チャネルを用いて通信を行うように構成されている無線基地局であって、第１エリアにおける通信処理を行うように構成されている第１通信カードと、第２エリアにおける通信処理を行うように構成されている第２通信カードと、前記第１通信カード及び前記第２通信カードを制御するように構成されている制御部とを具備しており、前記制御部は、前記第１通信カードにおける故障の発生を検出した場合に、前記第２通信カードが、前記第１エリア及び前記第２エリアにおける通信処理を行うことができるように、該第２通信カードによって行われる通信処理に対して１つ又は複数の制限を加えるように構成されていることを要旨とする。
【発明の効果】
【００１１】
以上説明したように、本発明によれば、ＬＴＥ方式の移動通信システムのように１キャリアによって移動通信サービスが提供されている移動通信システムにおいて、ＢＢカードにおける故障が発生した場合であっても、かかるＢＢカードによって通信処理が行われているセクタ内に位置する移動局に対して移動通信サービスの提供を継続することができる無線基地局を提供することができる。
【図面の簡単な説明】
【００１２】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局に含まれるＢＢカードの機能ブロック図である。
【図４】本発明の第１の実施形態に係る無線基地局の動作を示すフローチャートである。
【発明を実施するための形態】
【００１３】
（本発明の第１の実施形態に係る移動通信システムの構成）
図１乃至図３を参照して、本発明の第１の実施形態に係る移動通信システムの構成について説明する。
【００１４】
本実施形態に係る移動通信システムは、ＬＴＥ方式の移動通信システムである。
【００１５】
図１に示すように、本実施形態に係る移動通信システムでは、無線基地局ｅＮＢは、セクタ群Ａｇｒｏｕｐに属するセクタＡ０乃至ＡＢ（第１エリア）及びセクタ群Ｃｇｒｏｕｐに属するセクタＣ０乃至ＣＤ（第２エリア）内に位置する移動局ＵＥとの間で通信を行うように構成されている。
【００１６】
また、本実施形態に係る移動通信システムでは、無線基地局ｅＮＢは、複数の移動局ＵＥとの間で、所定システム周波数帯域の１キャリア内の共有チャネル、具体的には、ＰＵＳＣＨ（Ｐｈｙｓｉｃａｌ  Ｕｐｌｉｎｋ  Ｓｈａｒｅｄ  Ｃｈａｎｎｅｌ）やＰＤＳＣＨ（Ｐｈｙｓｉｃａｌ  Ｄｏｗｎｌｉｎｋ  Ｓｈａｒｅｄ  Ｃｈａｎｎｅｌ）やＰＵＣＣＨ（Ｐｈｙｓｉｃａｌ  Ｕｐｌｉｎｋ  Ｃｏｎｔｒｏｌ  Ｃｈａｎｎｅｌ）やＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＲＡＣＨ（Ｐｈｙｓｉｃａｌ  Ｒａｎｄｏｍ  Ａｃｃｅｓｓ  Ｃｈａｎｎｅｌ）等を用いて通信を行うように構成されている。
【００１７】
図２に示すように、無線基地局ｅＮＢは、制御部１１と、上位ノードインターフェイス１２と、複数のＢＢカード＃Ａ、＃Ｃ…とを具備している。
【００１８】
制御部１１は、複数のＢＢカード＃Ａ、＃Ｃ…を制御するように構成されている。
【００１９】
上位ノードインターフェイス１２は、交換局ＭＭＥやサービングゲートウェイ装置Ｓ-ＧＷ等の上位ノードとの間のインターフェイスとして機能するように構成されている。
【００２０】
各ＢＢノードは、所定エリア（具体的には、１つ又は複数のセクタ又はセル）における通信処理を行うように構成されている。ここで、かかる通信処理には、符号化処理や、変調処理や、復調処理や、復号処理や、スケジューリング処理等が含まれる。
【００２１】
なお、本実施形態では、ＢＢカード＃Ａ（第１通信カード）は、セクタ群Ａｇｒｏｕｐに属するセクタＡ０乃至ＡＢにおける通信処理を行うように構成されており、ＢＢカード＃Ｃ（第２通信カード）は、セクタ群Ｃｇｒｏｕｐに属するセクタＣ０乃至ＣＤにおける通信処理を行うように構成されている。
【００２２】
図３に示すように、ＢＢカード＃Ａ及びＢＢカード＃Ｃは、制御部インターフェイス２１と、符号化処理部２２と、変調処理部２３と、送信部２４と、受信部２５と、復調処理部２６と、復号処理部２７と、故障検出部２８と、スケジューリング部２９とを具備している。
【００２３】
制御部インターフェイス２１は、制御部１１との間のインターフェイスとして機能するように構成されている。
【００２４】
符号化処理部２２は、制御部インターフェイス２１からの出力信号に対して符号化処理を行うように構成されている。
【００２５】
変調処理部２３は、符号化処理部２２からの出力信号に対して変調処理を行うように構成されている。
【００２６】
送信部２４は、変調処理部２３からの出力信号を、送信アンテナを介して、セクタ群Ａｇｒｏｕｐに属するセクタＡ０乃至ＡＢやセクタ群Ｃｇｒｏｕｐに属するセクタＣ０乃至ＣＤ等の所定エリアに対して送信するように構成されている。
【００２７】
受信部２５は、受信アンテナを介して、セクタ群Ａｇｒｏｕｐに属するセクタＡ０乃至ＡＢやセクタ群Ｃｇｒｏｕｐに属するセクタＣ０乃至ＣＤ等の所定エリア内に位置する移動局ＵＥからの信号を受信するように構成されている。
【００２８】
復調処理部２６は、受信部２５からの出力信号に対して復調処理を行うように構成されている。
【００２９】
復号処理部２７は、復調処理部２６からの出力信号に対して復号処理を行うように構成されている。ここで、復号処理部２７からの出力信号は、制御部インターフェイス２１を介して制御部１１に送信されるように構成されている。
【００３０】
故障検出部２８は、ＢＢカード＃Ａ及びＢＢカード＃Ｃにおける故障の発生を検出するように構成されている。ここで、故障検出部２８は、ＢＢカード＃Ａ及びＢＢカード＃Ｃにおける故障の発生を検出した場合、その旨を、制御部インターフェイス２１を介して制御部１１に通知するように構成されている。
【００３１】
スケジューリング部２９は、セクタ群Ａｇｒｏｕｐに属するセクタＡ０乃至ＡＢやセクタ群Ｃｇｒｏｕｐに属するセクタＣ０乃至ＣＤ等の所定エリア内に位置する移動局ＵＥに対するスケジューリング処理を行うように構成されている。
【００３２】
ここで、制御部１１は、ＢＢカード＃Ａ又はＢＢカード＃Ｃにおける故障の発生を検出した場合に、ＢＢカード＃Ｃ又はＢＢカード＃Ａが、セクタＡ０乃至ＡＢ及びセクタＣ０乃至ＣＤにおける通信処理を行うことができるように、ＢＢカード＃Ｃ又はＢＢカード＃Ａによって行われる通信処理に対して１つ又は複数の制限を加えるように構成されている。
【００３３】
例えば、後述する図４に示すように、制御部１１は、ＢＢカード＃Ａ又はＢＢカード＃Ｃにおける故障の発生を検出した場合に、ＢＢカード＃Ｃ又はＢＢカード＃Ａが、セクタＡ０乃至ＡＢ及びセクタＣ０乃至ＣＤにおける通信処理を行うことができるようになるまで、ＢＢカード＃Ｃ又はＢＢカード＃Ａによって行われる通信処理に対して加える制限を増やしていくように構成されていてもよい。
【００３４】
例えば、上述の制限としては、以下のものが想定される。
【００３５】
第１の制限は、１サブフレーム内で割り当て可能なリソースブロックの数に対する制限である。
【００３６】
ＬＴＥ方式では、１無線フレーム（Ｒａｄｉｏ  Ｆｒａｍｅ）が、２０スロットによって構成されており、１無線フレームの時間長は、１０ｍｓであり（すなわち、１スロットの時間長は、０.５ｍｓであり）、１サブフレーム（Ｓｕｂｆｒａｍｅ）は、２スロットによって構成されており、１サブフレームの時間長は、１ｍｓであり、１スロットは、７ＯＦＤＭシンボルによって構成されている。
【００３７】
また、リソースブロックは、時間方向及び周波数方向の二次元平面で定義されるデータチャネル（ＰＤＳＣＨやＰＵＳＣＨ）用リソースの最小割り当て単位であり、時間方向の７ＯＦＤＭシンボルと周波数方向の１２サブキャリアによって構成されている。
【００３８】
例えば、制御部１１は、ＢＢカード＃Ａ又はＢＢカード＃Ｃにおける故障の発生を検出した場合に、ＢＢカード＃Ｃ又はＢＢカード＃Ａによって行われる通信処理において、１サブフレーム内で割り当て可能なリソースブロックの数を「１００」から「５０」に制限するように構成されていてもよい。
【００３９】
ここで、制御部１１は、ＢＢカード＃Ａ又はＢＢカード＃Ｃにおける故障の発生を検出した場合に、ＢＢカード＃Ｃ又はＢＢカード＃Ａによって行われる通信処理において、１サブフレーム内で割り当て可能なリソースブロックの数を制限することによって、ユーザ単位或いはセル単位の最大スループットを制限するように構成されていてもよい。
【００４０】
例えば、制御部１１は、ＢＢカード＃Ａ又はＢＢカード＃Ｃにおける故障の発生を検出した場合に、ＢＢカード＃Ｃ又はＢＢカード＃Ａによって行われる通信処理において、ユーザ単位或いはセル単位の最大スループットを「５０Ｍｂｐｓ」から「２５Ｍｂｐｓ」に制限するように構成されていてもよい。
【００４１】
第２の制限は、１サブフレーム内で多重可能な移動局ＵＥの数に対する制限、すなわち、１サブフレーム内でリソースを割り当て可能な移動局ＵＥの数に対する制限である。
【００４２】
例えば、制御部１１は、ＢＢカード＃Ａ又はＢＢカード＃Ｃにおける故障の発生を検出した場合に、ＢＢカード＃Ｃ又はＢＢカード＃Ａによって行われる通信処理において、１サブフレーム内で多重可能な移動局ＵＥの数を「４」から「２」に制限するように構成されていてもよい。
【００４３】
第３の制限は、移動局ＵＥを多重可能なサブフレームに対する制限である。
【００４４】
例えば、制御部１１は、ＢＢカード＃Ａ又はＢＢカード＃Ｃにおける故障の発生を検出した場合に、ＢＢカード＃Ｃ又はＢＢカード＃Ａによって行われる通信処理において、ある特定のサブフレーム（例えば、奇数番目のサブフレーム）には移動局ＵＥを多重しないように制限するように構成されていてもよい。
【００４５】
第４の制限は、１サブフレーム又は１リソースブロック内で割り当て可能なＰＵＣＣＨ用リソースの数に対する制限である。
【００４６】
ここで、ＰＵＣＣＨ用リソースとしては、ＰＵＣＣＨの本数や、ＰＵＣＣＨのＣＳ（Ｃｙｃｌｉｃ  Ｓｅｑｕｅｎｃｅ）の多重数であってもよい。ＣＳは、コード方向のリソースであり、「Ｃｙｃｌｉｃ  Ｓｈｉｆｔ」の関係にあり互いに直交する複数の系列である。
【００４７】
例えば、制御部１１は、ＢＢカード＃Ａ又はＢＢカード＃Ｃにおける故障の発生を検出した場合に、ＢＢカード＃Ｃ又はＢＢカード＃Ａによって行われる通信処理において、１サブフレーム又は１リソースブロック内で割り当て可能なＰＵＣＣＨの本数を「４」から「２」に制限したり、１サブフレーム又は１リソースブロック内で割り当て可能なＰＵＣＣＨのＣＳの多重数を「６」から「３」に制限したりするように構成されている。
【００４８】
第５の制限は、１無線フレーム内のＰＲＡＣＨサブフレーム数（ＰＲＡＣＨスロット数）に対する制限、すなわち、１無線フレーム内でＰＲＡＣＨ用リソースを割り当て可能なサブフレーム数に対する制限である。
【００４９】
例えば、制御部１１は、ＢＢカード＃Ａ又はＢＢカード＃Ｃにおける故障の発生を検出した場合に、ＢＢカード＃Ｃ又はＢＢカード＃Ａによって行われる通信処理において、１無線フレーム内のＰＲＡＣＨサブフレーム数を「２」から「１」に制限するように構成されていてもよい。
【００５０】
第６の制限は、使用するＲＡルートシーケンス（ＲＡ  ｒｏｏｔ  ｓｅｑｕｅｎｃｅ）の数に対する制限である。
【００５１】
ここで、ＲＡルートシーケンスは、当該セクタで用いられるＲＡプリアンブルの元になる系列である。
【００５２】
具体的には、移動局ＵＥは、無線基地局ｅＮＢから通知された１つ又は複数のＲＡルートシーケンスから６４個のＲＡプリアンブルを生成し、そのいずれか１個のＲＡプリアンブルを選択して送信するように構成されている。
【００５３】
例えば、制御部１１は、ＢＢカード＃Ａ又はＢＢカード＃Ｃにおける故障の発生を検出した場合に、ＢＢカード＃Ｃ又はＢＢカード＃Ａによって行われる通信処理において、使用するＲＡルートシーケンスの数を「２」から「１」に制限するように構成されている。
【００５４】
ここで、使用するＲＡルートシーケンス数は、無線基地局ｅＮＢから移動局ＵＥに通知するＲＡルートシーケンスの数であってもよいし、無線基地局ｅＮＢが検出を試みるＲＡプリアンブルを生成するためのＲＡルートシーケンスの数であってもよい。
【００５５】
また、制御部１１は、ＢＢカード＃Ａ又はＢＢカード＃Ｃにおける故障の発生を検出した場合に、ＢＢカード＃Ｃ又はＢＢカード＃Ａによって行われる通信処理において、同時に接続可能な移動局ＵＥの数を制限するように構成されていてもよい。
【００５６】
例えば、制御部１１は、ＢＢカード＃Ａ又はＢＢカード＃Ｃにおける故障の発生を検出した場合に、ＢＢカード＃Ｃ又はＢＢカード＃Ａによって行われる通信処理において、同時に接続可能な移動局ＵＥの数を「４００」から「２００」制限するように構成されていてもよい。
【００５７】
（本発明の第１の実施形態に係る移動通信システムの動作）
図４を参照して、本発明の第１の実施形態に係る移動通信システムの動作について、具体的には、本発明の第１の実施形態に係る無線基地局ｅＮＢの動作について説明する。
【００５８】
図４に示すように、無線基地局ｅＮＢは、ステップＳ１０１において、ＢＢカード＃Ａにおける故障の発生を検出すると、ステップＳ１０２において、ＢＢカード＃Ａに収容されている、すなわち、ＢＢカード＃Ａによって通信処理が行われている全てのセクタＡ０乃至ＡＢをセクタ群Ａｇｒｏｕｐに属するものとし、ＢＢカード＃Ｃに収容されている、すなわち、ＢＢカード＃Ｃによって通信処理が行われている全てのセクタＣ０乃至ＣＤをセクタ群Ｃｇｒｏｕｐに属するものとする。
【００５９】
ステップＳ１０３において、無線基地局ｅＮＢは、セクタ群Ａｇｒｏｕｐに属するセクタの収容先のＢＢカード＃ＡからＢＢカード＃Ｃへの変更を開始する。
【００６０】
ステップＳ１０４において、無線基地局ｅＮＢは、現時点で採用されている通信処理に対する制限状態で、ＢＢカード＃Ｃにおけるセクタ群Ａｇｒｏｕｐに属するセクタの収容が可能であるか否かについて判定する。
【００６１】
ＢＢカード＃Ｃにおけるセクタ群Ａｇｒｏｕｐに属するセクタの収容が可能であると判定された場合、本動作は、ステップＳ１０５に進み、ＢＢカード＃Ｃにおけるセクタ群Ａｇｒｏｕｐに属するセクタの収容が可能でないと判定された場合、本動作は、ステップＳ１０６に進む。
【００６２】
ステップＳ１０５において、無線基地局ｅＮＢは、現時点で採用されている通信処理に対する制限状態を実現した上で、ＢＢカード＃Ｃに、セクタ群Ａｇｒｏｕｐに属するセクタを収容させる、すなわち、ＢＢカード＃Ｃによって、セクタ群Ａｇｒｏｕｐに属するセクタにおける通信処理を行わせる。
【００６３】
ステップＳ１０６において、無線基地局ｅＮＢは、ＢＢカード＃Ｃにおいて行われるセクタ群Ａｇｒｏｕｐに属するセクタ又はセクタ群Ｃｇｒｏｕｐに属するセクタの少なくとも一方の通信処理に対して所定の制限を加えることができるか否かについて判定する。
【００６４】
ここで、無線基地局ｅＮＢは、予め決められている順序で、上述の第１の制限乃至第６の制限の各々を、上述の通信処理に対して加えていくように構成されていてもよい。
【００６５】
上述の制限を加えることができると判定された場合、本動作は、ステップＳ１０７に進み、上述の制限を加えることができると判定された場合、本動作は、ステップＳ１０８に進む。
【００６６】
ステップＳ１０７において、無線基地局ｅＮＢは、上述の第１の制限乃至第６の制限の中から選択した１つ又は複数の制限を、ＢＢカード＃Ｃにおいて行われるセクタ群Ａｇｒｏｕｐに属するセクタ又はセクタ群Ｃｇｒｏｕｐに属するセクタの少なくとも一方の通信処理に対して加えることによって、現時点で採用されている通信処理に対する制限状態を更新し、本動作は、ステップＳ１０４に戻る。
【００６７】
一方、ステップＳ１０８において、無線基地局ｅＮＢは、セクタ群Ａｇｒｏｕｐに属するセクタの中から任意のセクタを除外し、現時点で採用されている通信処理に対する制限状態を初期化し、本動作は、ステップＳ１０３に戻る。
【００６８】
なお、ステップＳ１０８において、セクタ群Ａｇｒｏｕｐに属するセクタの中から除外することができるセクタが存在しなくなった場合、本動作は、終了する。
【００６９】
ここで、無線基地局ｅＮＢは、ＢＢカード＃Ｃにおいて行われるセクタ群Ａｇｒｏｕｐに属するセクタの通信処理に対して加える制限と、セクタ群Ｃｇｒｏｕｐに属するセクタの通信処理に対して加える制限を、同じものとしてもよいし、異なるものとしてもよい。
【００７０】
（本発明の第１の実施形態に係る移動通信システムの作用・効果）
本発明の第１の実施形態に係る移動通信システムによれば、ＬＴＥ方式の移動通信システムのように、１キャリアによって移動通信サービスを提供する移動通信システムであっても、故障が発生したＢＢカードに収容されていたセクタにおいて移動通信サービスを提供することができないという事態を回避することができる。
【００７１】
また、本発明の第１の実施形態に係る移動通信システムによれば、ＬＴＥ方式の移動通信システムのように、共有チャネルを用いて移動通信サービスを提供する移動通信システムにおいて、同時に接続可能な移動局ＵＥの数を制限することなく、故障が発生したＢＢカードに収容されていたセクタにおいて移動通信サービスを提供することができないという事態を回避することができる。
【００７２】
以上に述べた本実施形態の特徴は、以下のように表現されていてもよい。
【００７３】
本実施形態の第１の特徴は、複数の移動局ＵＥとの間で、２０ＭＨｚ帯域（所定周波数帯域）の１キャリア内の共有チャネルを用いて通信を行うように構成されている無線基地局ｅＮＢであって、セクタ群Ａｇｒｏｕｐに属するセクタＡ０乃至ＡＢ（第１エリア）における通信処理を行うように構成されているＢＢカード＃Ａ（第１通信カード）と、セクタ群Ｃｇｒｏｕｐに属するセクタＣ０乃至ＣＤ（第２エリア）における通信処理を行うように構成されているＢＢカード＃Ｃ（第２通信カード）と、ＢＢカード＃Ａ及びＢＢカード＃Ｃを制御するように構成されている制御部１１とを具備しており、制御部１１は、ＢＢカード＃Ａにおける故障の発生を検出した場合に、ＢＢカード＃Ｃが、セクタＡ０乃至ＡＢ及びセクタＣ０乃至ＣＤにおける通信処理を行うことができるように、ＢＢカード＃Ｃによって行われる通信処理に対して１つ又は複数の制限を加えるように構成されていることを要旨とする。
【００７４】
本実施形態の第１の特徴において、制御部１１は、ＢＢカード＃Ａにおける故障の発生を検出した場合に、ＢＢカード＃Ｃが、セクタＡ０乃至ＡＢ及びセクタＣ０乃至ＣＤにおける通信処理を行うことができるようになるまで、ＢＢカード＃Ｃによって行われる通信処理に対して加える制限を増やしていくように構成されていてもよい。
【００７５】
本実施形態の第１の特徴において、上述の制限は、１サブフレーム内で割り当て可能なリソースブロックの数に対する制限、１サブフレーム内で多重可能な移動局の数に対する制限、移動局を多重可能なサブフレームに対する制限、１サブフレーム又は１リソースブロック内で割り当て可能なＰＵＣＣＨ用リソースの数に対する制限、１無線フレーム内のＰＲＡＣＨサブフレーム数（ＰＲＡＣＨスロット数）に対する制限、又は、使用するＲＡルートシーケンスの数に対する制限のいずれかであってもよい。
【００７６】
なお、上述の無線基地局ｅＮＢ及び移動局ＵＥ１の動作は、ハードウェアによって実施されてもよいし、プロセッサによって実行されるソフトウェアモジュールによって実施されてもよいし、両者の組み合わせによって実施されてもよい。
【００７７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ１内に設けられていてもよい。また、かかる記憶媒体及びプロセッサは、ディスクリートコンポーネントとして無線基地局ｅＮＢ及び移動局ＵＥ１内に設けられていてもよい。
【００７９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００８０】
ｅＮＢ…無線基地局
１１…制御部
１２…上位ノードインターフェイス
２１…制御部インターフェイス
２２…符号化処理部
２３…変調処理部
２４…送信部
２５…受信部
２６…復調処理部
２７…復号処理部
２８…故障検出部
２９…スケジューリング部
【図１】
2011066528.tif 000003
【図２】
2011066528.tif 000004
【図３】
2011066528.tif 000005
【図４】
2011066528.tif 000006